【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
無線デバイスで動作可能な方法であって、
１つまたは複数の外部ラウドスピーカへ前記無線デバイスからスピーカ特有オーディオ信号を無線で送信すること、ここにおいて、各スピーカ特有オーディオ信号は、サラウンドサウンド体験を得るために、対応する外部ラウドスピーカで再生されるように適応される、
を備え、
前記方法が、前記無線デバイスおよび前記１つまたは複数の外部ラウドスピーカに対するターゲットユーザの相対的な配置を確認することを備えることと、ここにおいて、前記無線デバイスに対する前記ターゲットユーザの前記配置は、任意である、
前記サラウンドサウンド体験は、前記ターゲットユーザに向けられることと、
を特徴とする、方法。
【請求項２】
前記無線デバイスに対して１つまたは複数の外部デバイスに関する配置を確認することと、ここにおいて、前記外部デバイスは、１つまたは複数の外部マイクロフォンおよび／または前記１つまたは複数のラウドスピーカを含む、
をさらに備える、請求項１に記載の方法。
【請求項３】
前記１つまたは複数の外部デバイスから１つまたは複数の外部マイクロフォンを選択することと、
前記無線デバイスに対する前記ターゲットユーザの前記相対的な配置を確認するために、前記１つまたは複数の選択された外部マイクロフォンおよび／または１つまたは複数の内部マイクロフォン上で前記ターゲットユーザからのオーディオ信号をキャプチャすることと、
をさらに備える、請求項２に記載の方法。
【請求項４】
前記１つまたは複数の外部マイクロフォンの各々からの前記キャプチャされたオーディオは、前記ターゲットユーザの配置を確認するために、距離および相対的な向きを確認するように、互いに比較される、請求項３に記載の方法。
【請求項５】
前記ターゲットユーザからの前記オーディオ信号をキャプチャし、前記キャプチャされたオーディオ信号の到来方向を確認するように、前記１つまたは複数の選択された外部マイクロフォンに指示することをさらに備える、請求項３に記載の方法。
【請求項６】
前記無線デバイスに対して前記１つまたは複数の外部デバイスに関する前記配置を確認することは、
前記１つまたは複数の外部ラウドスピーカからのオーディオ信号をキャプチャして、前記キャプチャされたオーディオ信号の１つまたは複数の対応する到来方向を確認するように、前記１つまたは複数の外部マイクロフォンに命令すること、
を含む、請求項２に記載の方法。
【請求項７】
前記無線デバイスに対する前記ターゲットユーザの前記相対的な配置を確認することは、
外部デバイスに対する外部デバイスの配置を確認することと、
前記外部デバイスに対する前記ターゲットユーザの前記配置を確認することと、
を含む、請求項１に記載の方法。
【請求項８】
前記無線デバイスは、モバイル電話デバイスである、請求項１に記載の方法。
【請求項９】
前記無線デバイスから前記１つまたは複数の外部ラウドスピーカへの前記スピーカ特有オーディオ信号は、無線通信インターフェースを介して不可聴形式で送られる、請求項１に記載の方法。
【請求項１０】
無線デバイスであって、
１つまたは複数のローカル外部デバイスと通信するための手段と、
前記１つまたは複数の外部ラウドスピーカへ前記無線デバイスからスピーカ特有オーディオ信号を無線で送るための手段と、ここにおいて、各スピーカ特有オーディオ信号は、サラウンドサウンド体験を得るために対応する外部ラウドスピーカで再生されるように適応される、
を備え、
前記無線デバイスは、前記無線デバイスおよび前記１つまたは複数の外部ラウドスピーカに対するターゲットユーザの相対的な配置を確認するための手段を備えることと、ここにおいて、前記無線デバイスに対する前記ターゲットユーザの前記配置は、任意である、
前記サラウンドサウンド体験は、前記ターゲットユーザに向けられることと、
を特徴とする、無線デバイス。
【請求項１１】
前記無線デバイスに対する１つまたは複数の外部デバイスに関する配置を確認するための手段と、ここにおいて、前記外部デバイスは、１つまたは複数の外部マイクロフォンおよび／または前記１つまたは複数のラウドスピーカを含む、
をさらに備える、請求項１０に記載の無線デバイス。
【請求項１２】
請求項３ないし９のいずれかに記載の方法を実行するための手段を備える、請求項１０に記載の無線デバイス。
【請求項１３】
命令を記憶したプロセッサ可読媒体であって、前記命令は、１つまたは複数のプロセッサによって実行されると、前記１つまたは複数のプロセッサに、請求項１ないし９のいずれかに記載の方法を実行させる、プロセッサ可読媒体。
【手続補正２】
【補正対象書類名】明細書
【補正対象項目名】００７７
【補正方法】変更
【補正の内容】
【００７７】
[0084]  本明細書で説明される発明の様々な特徴が、発明から逸脱することなく異なるシステムで実行され得る。前述の実施形態は、例に過ぎず、発明を制限するものとして理解されるべきではないことが留意されるべきである。実施形態の説明は、実例であることが意図され、特許請求の範囲を制限するものではない。このように、本教示は、装置の他のタイプへ容易に適用されることができ、多くの代替、修正、および変更が、当業者に対して明らかとなるであろう。
以下に本願発明の当初の特許請求の範囲に記載された発明を付記する。
［Ｃ１］  無線デバイスで動作可能な方法であって、
前記無線デバイスおよび１つまたは複数の外部ラウドスピーカに対するターゲットユーザの相対的な配置を確認することと、ここにおいて、前記無線デバイスに対する前記ターゲットユーザの前記配置は、任意である、
前記１つまたは複数の外部ラウドスピーカへ前記無線デバイスからスピーカ特有オーディオ信号（speaker-specific audio signals）を無線で送信することと、ここにおいて、各スピーカ特有オーディオ信号は、前記ターゲットユーザに向けたサラウンドサウンド体験を得るために、対応する外部ラウドスピーカで再生されるように適応される、
を備える、方法。
［Ｃ２］  前記無線デバイスに対して１つまたは複数の外部デバイスに関する配置を確認することと、ここにおいて、前記外部デバイスは、前記１つまたは複数の外部マイクロフォンおよび／または前記１つまたは複数のラウドスピーカを含む、
をさらに備える、Ｃ１に記載の方法。
［Ｃ３］  前記１つまたは複数の外部デバイスから１つまたは複数の外部マイクロフォンを選択することと、
前記無線デバイスに対する前記ターゲットユーザの前記相対的な配置を確認するために、前記１つまたは複数の選択された外部マイクロフォンおよび／または１つまたは複数の内部マイクロフォン上で前記ターゲットユーザからのオーディオ信号をキャプチャすることと、
をさらに備える、Ｃ２に記載の方法。
［Ｃ４］  前記１つまたは複数の外部マイクロフォンの各々からの前記キャプチャされたオーディオは、前記ターゲットユーザの配置を確認するために、距離および相対的な向きを確認するように、互いに比較される、Ｃ３に記載の方法。
［Ｃ５］  前記ターゲットユーザからの前記オーディオ信号をキャプチャし、前記キャプチャされたオーディオ信号の到来方向を確認するように、前記１つまたは複数の選択された外部マイクロフォンに指示することをさらに備える、Ｃ３に記載の方法。
［Ｃ６］  前記無線デバイスに対して前記１つまたは複数の外部デバイスに関する前記配置を確認することは、
前記１つまたは複数の外部ラウドスピーカからのオーディオ信号をキャプチャして、前記キャプチャされたオーディオ信号の１つまたは複数の対応する到来方向を確認するように、前記１つまたは複数の外部マイクロフォンに命令すること、
を含む、Ｃ２に記載の方法。
［Ｃ７］  前記無線デバイスに対する前記ターゲットユーザの前記相対的な配置を確認することは、
外部デバイスに対する外部デバイスの配置を確認することと、
前記外部デバイスに対する前記ターゲットユーザの前記配置を確認することと、
を含む、Ｃ１に記載の方法。
［Ｃ８］  前記無線デバイスは、モバイル電話デバイスである、Ｃ１に記載の方法。
［Ｃ９］  前記無線デバイスから前記１つまたは複数の外部ラウドスピーカへの前記スピーカ特有オーディオ信号は、無線通信インターフェースを介して不可聴形式で送られる、Ｃ１に記載の方法。
［Ｃ１０］  無線デバイスであって、
１つまたは複数のローカル外部デバイスと通信するための通信インターフェースと、
前記通信インターフェースに結合された処理回路であって、
前記無線デバイスおよび１つまたは複数の外部ラウドスピーカに対するターゲットユーザの相対的な配置を確認し、ここにおいて、前記無線デバイスに対する前記ターゲットユーザの前記配置は、任意である、
前記１つまたは複数の外部ラウドスピーカへ前記無線デバイスからスピーカ特有オーディオ信号を無線で送る、ここにおいて、各スピーカ特有オーディオ信号は、前記ターゲットユーザに向けたサラウンドサウンド体験を得るために対応する外部ラウドスピーカで再生されるように適応される、
ように適応される、処理回路と、
を備える、無線デバイス。
［Ｃ１１］  前記無線デバイスに対する前記ターゲットユーザの所在を特定するようにもまた使用される１つまたは複数の内部マイクロフォンと、
前記ターゲットユーザ向けのスピーカ特有オーディオ信号を提供するためにもまた使用される１つまたは複数の内部ラウドスピーカと、
をさらに備える、Ｃ１０に記載の無線デバイス。
［Ｃ１２］  前記処理回路は、
前記無線デバイスに対する１つまたは複数の外部デバイスに関する配置を確認し、ここにおいて、前記外部デバイスは、前記１つまたは複数の外部マイクロフォンおよび／または前記１つまたは複数のラウドスピーカを含むようにさらに適応される、Ｃ１０に記載の無線デバイス。
［Ｃ１３］  前記処理回路は、
前記１つまたは複数の外部デバイスから１つまたは複数の外部マイクロフォンを選択し、
前記無線デバイスに対する前記ターゲットユーザの前記相対配置を確認するために、前記１つまたは複数の選択された外部マイクロフォンおよび／または１つまたは複数の内部マイクロフォン上で前記ターゲットユーザからのオーディオ信号をキャプチャする  ようにさらに適応される、Ｃ１２に記載の無線デバイス。
［Ｃ１４］  前記無線デバイスに対する前記ターゲットユーザの前記相対配置を確認することは、
外部デバイスに対する外部デバイスの配置を確認することと、
前記外部デバイスに対する前記ターゲットユーザの前記配置を確認することと、
を含む、Ｃ１０に記載の無線デバイス。
［Ｃ１５］  前記無線デバイスは、モバイル電話デバイスである、Ｃ１０に記載の無線デバイス。
［Ｃ１６］  前記無線デバイスから前記１つまたは複数の外部ラウドスピーカへの前記スピーカ特有オーディオ信号は、無線通信インターフェースを介して不可聴形式で送られる、Ｃ１０に記載の無線デバイス。
［Ｃ１７］  無線デバイスであって、
１つまたは複数のローカル外部デバイスと通信するための手段と、
前記無線デバイスおよび１つまたは複数の外部ラウドスピーカに対するターゲットユーザの相対的な配置を確認するための手段と、ここにおいて、前記無線デバイスに対する前記ターゲットユーザの前記配置は、任意である、
前記１つまたは複数の外部ラウドスピーカへ前記無線デバイスからスピーカ特有オーディオ信号を無線で送るための手段と、ここにおいて、各スピーカ特有オーディオ信号は、前記ターゲットユーザに向けたサラウンドサウンド体験を得るために対応する外部ラウドスピーカで再生されるように適応される、
を備える、無線デバイス。
［Ｃ１８］  前記無線デバイスに対する１つまたは複数の外部デバイスに関する配置を確認するための手段と、ここにおいて、前記外部デバイスは、前記１つまたは複数の外部マイクロフォンおよび／または前記１つまたは複数のラウドスピーカを含む、
をさらに備える、Ｃ１７に記載の無線デバイス。
［Ｃ１９］  命令を記憶したプロセッサ可読媒体であって、前記命令は、１つまたは複数のプロセッサによって実行されると、前記１つまたは複数のプロセッサに、
無線デバイスおよび１つまたは複数の外部ラウドスピーカに対してターゲットユーザの相対的な配置を確認させ、ここにおいて、前記無線デバイスに対する前記ターゲットユーザの前記配置は、任意である、
前記１つまたは複数の外部ラウドスピーカへ前記無線デバイスからスピーカ特有オーディオ信号を無線で送らせ、ここにおいて、各スピーカ特有オーディオ信号は、前記ターゲットユーザに向けたサラウンドサウンド体験を得るために対応する外部ラウドスピーカで再生されるように適応される、
プロセッサ可読媒体。
［Ｃ２０］  前記１つまたは複数のプロセッサによって実行されると、前記１つまたは複数のプロセッサに、
前記無線デバイスに対する１つまたは複数の外部デバイスに関する配置を確認させる命令をさらに記憶しており、ここにおいて、前記外部デバイスは、前記１つまたは複数の外部マイクロフォンおよび／または前記１つまたは複数のラウドスピーカを含む、
Ｃ１９に記載のプロセッサ可読媒体。
［Ｃ２１］  無線デバイスで動作可能な方法であって、
１つまたは複数の外部ラウドスピーカの存在を自動的に確認することと、
前記１つまたは複数の外部ラウドスピーカに対するターゲットユーザの相対的な配置を自動的に確認することと、
前記ターゲットユーザに向けたサラウンドサウンド体験を得るために前記１つまたは複数の外部ラウドスピーカへ第１のオーディオ信号をステアリングすることと
を備える、方法。
［Ｃ２２］  １つまたは複数の外部マイクロフォンの存在を自動的に確認することと、
前記１つまたは複数の外部ラウドスピーカからの第２のオーディオ信号をキャプチャして、前記キャプチャされた第２のオーディオ信号の１つまたは複数の対応する到来方向を確認するように、前記１つまたは複数の外部マイクロフォンに命令することと、
前記ターゲットユーザからの前記第３のオーディオ信号をキャプチャして、前記キャプチャされた第３のオーディオ信号の到来方向を確認するように、前記１つまたは複数の外部マイクロフォンに命令することと、
ここにおいて、前記１つまたは複数の外部ラウドスピーカに対する前記ターゲットユーザの前記相対的な配置は、前記到来方向に基づいて確認される、
をさらに備える、Ｃ２１に記載の方法。
［Ｃ２３］  前記ターゲットユーザに向けた前記サラウンドサウンド体験を得るために１つまたは複数の内部ラウドスピーカへ前記第１のオーディオ信号をステアリングすること、
をさらに備える、Ｃ２１に記載の方法。
［Ｃ２４］  前記第１のオーディオ信号は、無線通信インターフェースを介して不可聴形式で前記１つまたは複数の外部ラウドスピーカへ前記無線デバイスから送られる、Ｃ２１に記載の方法。
［Ｃ２５］  無線デバイスであって、
１つまたは複数のローカル外部デバイスと通信するための通信インターフェースと、
前記通信インターフェースと結合された処理回路であって、
１つまたは複数の外部ラウドスピーカの存在を自動的に確認し、
前記１つまたは複数の外部ラウドスピーカに対するターゲットユーザの相対的な配置を自動的に確認し、
前記ターゲットユーザに向けたサラウンドサウンド体験を得るために前記１つまたは複数の外部ラウドスピーカへ第１のオーディオ信号をステアリングするように適応される処理回路と、
を備える、無線デバイス。
［Ｃ２６］  前記処理回路は、
１つまたは複数の外部ラウドスピーカの存在を自動的に確認し、
前記１つまたは複数の外部ラウドスピーカからの第２のオーディオ信号をキャプチャして、前記キャプチャされた第２のオーディオ信号の１つまたは複数の対応する到来方向を確認するように、前記１つまたは複数の外部マイクロフォンに命令し、
前記ターゲットユーザからの前記第３のオーディオ信号をキャプチャして、前記キャプチャされた第３のオーディオ信号の到来方向を確認するように、前記１つまたは複数の外部マイクロフォンに命令し、
ここにおいて、前記１つまたは複数の外部ラウドスピーカに対する前記ターゲットユーザの前記相対的な配置は、前記到来方向に基づいて確認される、  ようにさらに適応される、Ｃ２５に記載の無線デバイス。
［Ｃ２７］  前記無線デバイスに対する前記ターゲットユーザの所在を特定するようにも使用される１つまたは複数の内部マイクロフォンと、
前記ターゲットユーザ向けの前記第１のオーディオ信号をステアリングするためにもまた使用される１つまたは複数の内部ラウドスピーカと、
をさらに備える、Ｃ２５に記載の無線デバイス。
［Ｃ２８］  前記処理回路は、
前記ターゲットユーザに向けた前記サラウンドサウンド体験を得るために１つまたは複数の内部ラウドスピーカへ前記第１のオーディオ信号をステアリングするようにさらに適応される、Ｃ２５に記載の無線デバイス。
［Ｃ２９］  無線デバイスであって、
１つまたは複数の外部ラウドスピーカの存在を自動的に確認するための手段と、
前記１つまたは複数の外部ラウドスピーカに対するターゲットユーザの相対的な配置を自動的に確認するための手段と、
前記ターゲットユーザに向けたサラウンドサウンド体験を得るために前記１つまたは複数の外部ラウドスピーカへの第１のオーディオ信号をステアリングするための手段と、
を備える、無線デバイス。
［Ｃ３０］  １つまたは複数の外部マイクロフォンの存在を自動的に確認するための手段と、
前記１つまたは複数の外部ラウドスピーカからの第２のオーディオ信号をキャプチャして、前記キャプチャされた第２のオーディオ信号の１つまたは複数の対応する到来方向を確認するように、前記１つまたは複数の外部マイクロフォンに命令するための手段と、
前記ターゲットユーザからの第３のオーディオ信号をキャプチャして、前記キャプチャされた第３のオーディオ信号の到来方向を確認するように、前記１つまたは複数の外部マイクロフォンに命令するための手段と、
ここにおいて、前記１つまたは複数の外部ラウドスピーカに対する前記ターゲットユーザの前記相対的な配置は、前記到来方向に基づいて確認される、
をさらに備える、Ｃ２９に記載の無線デバイス。
［Ｃ３１］  命令を記憶したプロセッサ可読媒体であって、前記命令は、１つまたは複数のプロセッサによって実行されると、前記１つまたは複数のプロセッサに、
１つまたは複数の外部ラウドスピーカの存在を自動的に確認させ、
前記１つまたは複数の外部ラウドスピーカに対するターゲットユーザの相対的な配置を自動的に確認させ、
前記ターゲットユーザに向けたサラウンドサウンド体験を得るために前記１つまたは複数の外部ラウドスピーカへ第１のオーディオ信号をステアリングさせる、プロセッサ可読媒体。
［Ｃ３２］  前記１つまたは複数のプロセッサによって実行されると、前記１つまたは複数のプロセッサに、
１つまたは複数の外部ラウドスピーカの存在を自動的に確認させ、
前記１つまたは複数の外部ラウドスピーカからの第２のオーディオ信号をキャプチャして、前記キャプチャされた第２のオーディオ信号の１つまたは複数の対応する到来方向を確認するように、前記１つまたは複数の外部マイクロフォンに命令し、
前記ターゲットユーザからの前記第３のオーディオ信号をキャプチャして、前記キャプチャされた第３のオーディオ信号の到来の方向を確認するように、前記１つまたは複数の外部マイクロフォンに命令することをさせる命令をさらに記憶し、
ここにおいて、前記１つまたは複数の外部ラウドスピーカに対する前記ターゲットユーザの前記相対的な配置は、前記到来方向に基づいて確認される
Ｃ３１に記載のプロセッサ可読媒体。
［Ｃ３３］  外部デバイスで動作可能な方法であって、
無線デバイスに対する前記外部デバイスの所在を特定するために、前記マイクロフォンをアクティベートし、前記マイクロフォンによってキャプチャされた第１のオーディオ信号を前記無線デバイスへ提供するための、前記無線デバイスからの第１の命令を受信することと、
前記無線デバイスに対する前記外部デバイスの所在を特定することを手助けするために、外部ラウドスピーカを通して第２のオーディオ信号を再生するための、前記無線デバイスからの第２の命令を受信することと、
前記無線デバイスに対するターゲットユーザの配置を確認するために、前記マイクロフォンをアクティベートし、前記マイクロフォンによってキャプチャされた第３のオーディオ信号を前記無線デバイスへ送るための、前記無線デバイスからの第３の命令を受信することと、
を備える、方法。
［Ｃ３４］  １つまたは複数の対応する外部ラウドスピーカに割り当てられた前記無線デバイスからスピーカ特有オーディオ信号を受信することと、
前記１つまたは複数の対応する外部ラウドスピーカへ前記スピーカ特有オーディオ信号を送ることと、ここにおいて、各スピーカ特有オーディオ信号は、前記ターゲットユーザに向けたサラウンドサウンド体験を得るように適応される、
をさらに備える、Ｃ３３に記載の方法。
［Ｃ３５］  前記無線デバイスから前記１つまたは複数の外部ラウドスピーカへの前記スピーカ特有オーディオ信号は、無線通信インターフェースを介して不可聴形式で受信される、Ｃ３３に記載の方法。
［Ｃ３６］  外部デバイスであって、
無線デバイスと無線で通信するための通信インターフェースと、
前記通信インターフェースに結合された処理回路であって、
無線デバイスに対する前記外部デバイスの所在を特定するために、マイクロフォンをアクティベートし、前記マイクロフォンによってキャプチャされた第１のオーディオ信号を前記無線デバイスへ提供するための、前記無線デバイスからの第１の命令を受信し、
前記無線デバイスに対する前記外部デバイスの所在を特定することを手助けするために、外部ラウドスピーカを通して第２のオーディオ信号を再生するための、前記無線デバイスからの第２の命令を受信し、
前記無線デバイスに対するターゲットユーザの配置を確認するために、前記マイクロフォンをアクティベートし、前記マイクロフォンによってキャプチャされた第３のオーディオ信号を前記無線デバイスへ送るための、前記無線デバイスからの第３の命令を受信することに適応された処理回路と、
を備える、外部デバイス。
［Ｃ３７］  前記処理回路は、
１つまたは複数の対応する外部ラウドスピーカに割り当てられた前記無線デバイスからスピーカ特有オーディオ信号を受信し、
前記１つまたは複数の対応する外部ラウドスピーカへ前記スピーカ特有オーディオ信号を送信し、ここにおいて、各スピーカ特有オーディオ信号は、前記ターゲットユーザに向けたサラウンドサウンド体験を得るように適応されるようにさらに適応される、Ｃ３６に記載の外部デバイス。
［Ｃ３８］  前記無線デバイスから前記１つまたは複数の外部ラウドスピーカへの前記スピーカ特有オーディオ信号は、前記無線通信インターフェースを介して不可聴形式で受信される、Ｃ３６に記載の外部デバイス。
［Ｃ３９］  外部デバイスであって、
無線デバイスに対する前記外部デバイスの所在を特定するために、マイクロフォンをアクティベートし、前記マイクロフォンによってキャプチャされた第１のオーディオ信号を前記無線デバイスへ提供するための、前記無線デバイスからの第１の命令を受信するための手段と、
前記無線デバイスに対する前記外部デバイスの所在を特定することを手助けするために、外部ラウドスピーカを通して第２のオーディオ信号を再生するための、前記無線デバイスからの第２の命令を受信するための手段と、
前記無線デバイスに対するターゲットユーザの配置を確認するために、前記マイクロフォンをアクティベートし、前記マイクロフォンによってキャプチャされた第３のオーディオ信号を前記無線デバイスへ送るための、前記無線デバイスからの第３の命令を受信するための手段と、
を備える、外部デバイス。
［Ｃ４０］  １つまたは複数の対応する外部ラウドスピーカに割り当てられた前記無線デバイスからスピーカ特有オーディオ信号を受信するための手段と、
前記１つまたは複数の対応する外部ラウドスピーカへ前記スピーカ特有オーディオ信号を送るための手段と、ここにおいて、各スピーカ特有オーディオ信号は、前記ターゲットユーザに向けたサラウンドサウンド体験を得るように適応される、
をさらに備える、Ｃ３９に記載の外部デバイス。
［Ｃ４１］  前記無線デバイスから前記１つまたは複数の外部ラウドスピーカへの前記スピーカ特有オーディオ信号は、無線通信インターフェースを介して不可聴形式で受信される、Ｃ３９に記載の外部デバイス。
［Ｃ４２］  命令を記憶したプロセッサ可読媒体であって、前記命令は、１つまたは複数のプロセッサによって実行されると、前記１つまたは複数のプロセッサに、
無線デバイスに対する外部デバイスの所在を特定するために、マイクロフォンをアクティベートし、前記マイクロフォンによってキャプチャされた第１のオーディオ信号を前記無線デバイスへ提供するための、前記無線デバイスからの第１の命令を受信させ、
前記無線デバイスに対する前記外部デバイスの所在を特定することを手助けするために、外部ラウドスピーカを通して第２のオーディオ信号を再生するための、前記無線デバイスからの第２の命令を受信させ、
前記無線デバイスに対するターゲットユーザの配置を確認するために、前記マイクロフォンをアクティベートし、前記マイクロフォンによってキャプチャされた第３のオーディオ信号を前記無線デバイスへ送信するための、前記無線デバイスからの第３の命令を受信させる、プロセッサ可読媒体。
［Ｃ４３］  １つまたは複数のプロセッサによって実行されると、前記１つまたは複数のプロセッサに、
１つまたは複数の対応する外部ラウドスピーカに割り当てられた前記無線デバイスからスピーカ特有オーディオ信号を受信させ、
前記１つまたは複数の対応する外部ラウドスピーカへ前記スピーカ特有オーディオ信号を送らせる
命令をさらに記憶し、ここにおいて、各スピーカ特有オーディオ信号は、前記ターゲットユーザに向けたサラウンドサウンド体験を得るように適応される、
Ｃ４２に記載のプロセッサ可読媒体。